(57)【要約】【課題】糸欠陥データのうちの一部の糸欠陥データについての糸欠陥マークを二次元フィールドと共に表示する場合に、糸欠陥マークの分布を適切に表示する。【解決手段】監視部制御装置５は、二次元フィールドＦと共にタッチパネル５１に糸欠陥マークＫを表示させる処理部５２を備え、処理部５２は、糸欠陥が基準太さよりも太い糸欠陥である場合には、糸欠陥の長さごとに、糸欠陥の太さが最も太い糸欠陥データから順に数えて予め定められた表示数を超える数の糸欠陥データをタッチパネル５１に表示させない。【選択図】図４
2018178282.tif 000002
【特許請求の範囲】
【請求項１】
糸欠陥の長さ及び太さのそれぞれを座標軸とする二次元フィールドに、前記糸欠陥を示す糸欠陥マークを表示する表示部と、
糸に含まれる前記糸欠陥の長さ及び太さを示す糸欠陥データに基づいて、前記二次元フィールドにおける前記糸欠陥マークの位置を決定し、前記二次元フィールドと共に前記表示部に前記糸欠陥マークを表示させる処理部と、
を備え、
前記処理部は、前記糸欠陥が基準となる前記糸の太さよりも太い前記糸欠陥である場合、前記糸欠陥の長さごとに、前記糸欠陥の太さが最も太い前記糸欠陥データから順に数えて予め定められた表示数を超える数の前記糸欠陥データを前記表示部に表示させない、糸欠陥表示装置。
【請求項２】
前記処理部は、前記糸欠陥の太さが最も太い前記糸欠陥データから順に数えて予め定められた表示数を超える数の前記糸欠陥データを前記表示部に表示させない第１の優先表示と、基準となる前記糸の太さよりも太い前記糸欠陥についての全ての前記糸欠陥データを前記表示部に表示させる第１の全表示とを切り替え可能である、請求項１に記載の糸欠陥表示装置。
【請求項３】
前記処理部は、前記第１の全表示として、基準となる前記糸の太さよりも太い前記糸欠陥についての前記糸欠陥データのうち、直近に取得された前記糸欠陥データから取得順に数えて予め定められた所定数以内の全ての前記糸欠陥データを前記表示部に表示させる、請求項２に記載の糸欠陥表示装置。
【請求項４】
前記処理部は、前記糸欠陥が基準となる糸の太さよりも細い前記糸欠陥である場合、前記糸欠陥の長さごとに、前記糸欠陥の太さが最も細い前記糸欠陥データから順に数えて予め定められた前記表示数を超える数の前記糸欠陥データを前記表示部に表示させない、請求項１〜３のいずれか一項に記載の糸欠陥表示装置。
【請求項５】
前記処理部は、前記糸欠陥の太さが最も細い前記糸欠陥データから順に数えて予め定められた前記表示数を超える数の前記糸欠陥データを前記表示部に表示させない第２の優先表示と、基準となる前記糸の太さよりも細い前記糸欠陥についての全ての前記糸欠陥データを前記表示部に表示させる第２の全表示とを切り替え可能である、請求項４に記載の糸欠陥表示装置。
【請求項６】
前記処理部は、前記第２の全表示として、基準となる前記糸の太さよりも細い前記糸欠陥についての前記糸欠陥データのうち、直近に取得された前記糸欠陥データから取得順に数えて予め定められた所定数以内の全ての前記糸欠陥データを前記表示部に表示させる、請求項５に記載の糸欠陥表示装置。
【請求項７】
前記表示数は、前記糸欠陥の長さ及び太さに基づく前記糸欠陥の種類ごとに予め定められている、請求項１〜６のいずれか一項に記載の糸欠陥表示装置。
【請求項８】
前記糸欠陥の長さが短い場合の前記表示数は、前記糸欠陥の長さが長い場合の前記表示数に比べて値が大きい、請求項１〜７のいずれか一項に記載の糸欠陥表示装置。
【請求項９】
前記糸欠陥データを記憶する記憶部を更に備え、
前記処理部は、複数の前記糸欠陥データのうち前記表示部に表示させる前記糸欠陥データのみを前記記憶部に記憶させる、請求項１〜８のいずれか一項に記載の糸欠陥表示装置。
【請求項１０】
前記糸に対して処理を行う糸処理ユニットと、
前記糸処理ユニットで処理が行われる前記糸を監視して前記糸欠陥を検出し、前記糸欠陥データを出力する糸監視部と、
請求項１〜９のいずれか一項に記載の糸欠陥表示装置と、を備える、糸処理装置。
【請求項１１】
前記糸処理ユニットは、
前記糸を供給する給糸部と、
前記糸を巻き取ってパッケージを形成する巻取部と、
を備え、
前記糸監視部は、前記給糸部から供給された前記糸を監視する、請求項１０に記載の糸処理装置。
【請求項１２】
前記糸処理ユニットは、
繊維束をドラフトするドラフト装置と、
前記ドラフト装置でドラフトされた前記繊維束に撚りを与えて前記糸を生成する空気紡績装置と、
前記空気紡績装置で生成された前記糸を巻き取ってパッケージを形成する巻取部と、
を備え、
前記糸監視部は、前記空気紡績装置で生成された前記糸を監視する、請求項１０に記載の糸処理装置。
【発明の詳細な説明】
【技術分野】
【０００１】
本発明は、糸欠陥表示装置、及び糸処理装置に関する。
【背景技術】
【０００２】
例えば空気紡績機の機台制御装置は、糸欠陥の長さ及び太さのそれぞれを座標軸とする二次元フィールドに、糸欠陥データに基づいて糸欠陥をドット表示（糸欠陥マークを表示）する機能を有している場合がある（例えば、特許文献１参照）。
【先行技術文献】
【特許文献】
【０００３】
【特許文献１】特開２０１５−１３２０２９号公報
【発明の概要】
【発明が解決しようとする課題】
【０００４】
上述したように糸欠陥を表示する場合、表示処理の高速化等のために、糸欠陥データのうちの一部のみを表示することがある。しかしながら、例えば、最新の糸欠陥データから過去の所定の数までの糸欠陥データについての糸欠陥マークを表示する場合、糸欠陥の傾向が変化して糸欠陥データに偏りが生じたときには、二次元フィールドにおいて糸欠陥マークの分布を適切に表すことができない。
【０００５】
そこで、本発明は、糸欠陥データのうちの一部の糸欠陥データについての糸欠陥マークを二次元フィールドと共に表示する場合に、糸欠陥マークの分布を適切に表示することができる糸欠陥表示装置及び糸処理装置を提供することを目的とする。
【課題を解決するための手段】
【０００６】
本発明に係る糸欠陥表示装置は、糸欠陥の長さ及び太さのそれぞれを座標軸とする二次元フィールドに、糸欠陥を示す糸欠陥マークを表示する表示部と、糸に含まれる糸欠陥の長さ及び太さを示す糸欠陥データに基づいて、二次元フィールドにおける糸欠陥マークの位置を決定し、二次元フィールドと共に表示部に糸欠陥マークを表示させる処理部と、を備え、処理部は、糸欠陥が基準となる糸の太さよりも太い糸欠陥である場合、糸欠陥の長さごとに、糸欠陥の太さが最も太い糸欠陥データから順に数えて予め定められた表示数を超える数の糸欠陥データを表示部に表示させない。
【０００７】
ここで、基準となる糸の太さとは大きく異なる太さの糸欠陥は、例えば除去等の対象となる。このため、二次元フィールドを用いて糸欠陥マークの分布を表示する場合、基準となる糸の太さに近い太さの糸欠陥よりも基準となる糸の太さとは大きく異なる太さの糸欠陥の糸欠陥マークが確認できることが重要となる。そこで、本発明の糸欠陥表示装置では、糸欠陥が基準となる糸の太さよりも太い糸欠陥である場合には、糸欠陥の長さごとに、糸欠陥の太さが最も太い糸欠陥データから順に数えて予め定められた表示数を超える数の糸欠陥データを表示部に表示させない。すなわち、糸欠陥表示装置は、糸欠陥の長さごとに、糸欠陥の太さが最も太い糸欠陥データから順に数えて予め定められた表示数分の糸欠陥マークを表示部に表示させる。これにより、糸欠陥表示装置は、糸欠陥データのうちの一部の糸欠陥データについての糸欠陥マークを二次元フィールドと共に表示する場合に、糸欠陥マークの分布を適切に表示することができる。
【０００８】
処理部は、糸欠陥の太さが最も太い糸欠陥データから順に数えて予め定められた表示数を超える数の糸欠陥データを表示部に表示させない第１の優先表示と、基準となる糸の太さよりも太い糸欠陥についての全ての糸欠陥データを表示部に表示させる第１の全表示とを切り替え可能であってもよい。これにより、糸欠陥表示装置は、糸欠陥の数の多少等に応じて、糸欠陥マークを適切に表示できる。
【０００９】
処理部は、第１の全表示として、基準となる糸の太さよりも太い糸欠陥についての糸欠陥データのうち、直近に取得された糸欠陥データから取得順に数えて予め定められた所定数以内の全ての糸欠陥データを表示部に表示させてもよい。この場合、糸欠陥表示装置は、糸欠陥マークの表示処理の負荷を抑制できる。
【００１０】
処理部は、糸欠陥が基準となる糸の太さよりも細い前記糸欠陥である場合、糸欠陥の長さごとに、糸欠陥の太さが最も細い糸欠陥データから順に数えて予め定められた表示数を超える数の糸欠陥データを表示部に表示させなくてもよい。この場合、糸欠陥表示装置は、基準となる糸の太さよりも細い糸欠陥についても、糸欠陥マークの分布を適切に表示することができる。
【００１１】
処理部は、糸欠陥の太さが最も細い糸欠陥データから順に数えて予め定められた表示数を超える数の糸欠陥データを表示部に表示させない第２の優先表示と、基準となる糸の太さよりも細い糸欠陥についての全ての糸欠陥データを表示部に表示させる第２の全表示とを切り替え可能であってもよい。これにより、糸欠陥表示装置は、基準となる糸の太さよりも細い糸欠陥についても、糸欠陥の数の多少等に応じて、糸欠陥マークを適切に表示できる。
【００１２】
処理部は、第２の全表示として、基準となる糸の太さよりも細い糸欠陥についての糸欠陥データのうち、直近に取得された糸欠陥データから取得順に数えて予め定められた所定数以内の全ての糸欠陥データを表示部に表示させてもよい。この場合、糸欠陥表示装置は、糸欠陥マークの表示処理の負荷を抑制できる。
【００１３】
表示数は、糸欠陥の長さ及び太さに基づく糸欠陥の種類ごとに予め定められていてもよい。この場合、糸欠陥表示装置は、確認すべき糸欠陥マークの分布が糸欠陥の種類ごとに異なる場合であっても、糸欠陥の種類に応じた数の糸欠陥マークを表示することができる。
【００１４】
糸欠陥の長さが短い場合の表示数は、糸欠陥の長さが長い場合の表示数に比べて値が大きくてもよい。ここで、糸欠陥の長さが短い方が糸欠陥の長さが長い場合に比べて、糸欠陥の数が多い傾向がある。このため、糸欠陥表示装置は、数が多い糸欠陥（長さが短い糸欠陥）を示す糸欠陥マークを多く表示することで、糸欠陥の数の傾向に応じて糸欠陥マークの分布を適切に表示することができる。
【００１５】
糸欠陥表示装置は、糸欠陥データを記憶する記憶部を更に備え、処理部は、複数の糸欠陥データのうち表示部に表示させる糸欠陥データのみを記憶部に記憶させてもよい。この場合、糸欠陥表示装置は、表示部に糸欠陥マークが表示されない糸欠陥データを記憶部に記憶させないため、記憶部が記憶する糸欠陥データの数の増加を適切に抑制できる。
【００１６】
本発明の糸処理装置は、糸に対して処理を行う糸処理ユニットと、糸処理ユニットで処理が行われる糸を監視して糸欠陥を検出し、糸欠陥データを出力する糸監視部と、上述した糸欠陥表示装置と、を備える。
【００１７】
この糸処理装置は、上記の糸欠陥表示装置を備えているので、糸欠陥データのうちの一部の糸欠陥データについての糸欠陥マークを二次元フィールドと共に表示する場合に、糸欠陥マークの分布を適切に表示することができる。
【００１８】
糸処理ユニットは、糸を供給する給糸部と、糸を巻き取ってパッケージを形成する巻取部と、を備え、糸監視部は、給糸部から供給された糸を監視してもよい。この場合、糸処理装置は、給糸部から供給された糸の糸欠陥についての糸欠陥マークの分布を適切に表示することができる。
【００１９】
糸処理ユニットは、繊維束をドラフトするドラフト装置と、ドラフト装置でドラフトされた繊維束に撚りを与えて糸を生成する空気紡績装置と、空気紡績装置で生成された糸を巻き取ってパッケージを形成する巻取部と、を備え、糸監視部は、空気紡績装置で生成された糸を監視してもよい。この場合、糸処理装置は、空気紡績装置で生成された糸の糸欠陥についての糸欠陥マークの分布を適切に表示することができる。
【発明の効果】
【００２０】
本発明によれば、糸欠陥データのうちの一部の糸欠陥データについての糸欠陥マークを二次元フィールドと共に表示する場合に、糸欠陥マークの分布を適切に表示することができる。
【図面の簡単な説明】
【００２１】
【図１】本発明の実施形態の糸巻取機の構成を示すブロック図である。
【図２】図１の糸巻取ユニットの構成を示すブロック図である。
【図３】図１の監視部制御装置の構成を示すブロック図である。
【図４】図３のタッチパネルの画面の一例を示す図である。
【図５】図３のタッチパネルに表示される糸欠陥マークの表示数を示す表である。
【図６】全表示を行った場合におけるタッチパネルの画面の一例を示す図である。
【図７】直近の所定数の糸欠陥データについて全表示を行った場合におけるタッチパネルの画面の一例を示す図である。
【図８】処理部で行われる処理の流れを示すフローチャートである。
【発明を実施するための形態】
【００２２】
以下、本発明の実施形態について、図面を参照して詳細に説明する。なお、各図において同一又は相当部分には同一符号を付し、重複する説明を省略する。
【００２３】
図１に示されるように、糸巻取機（糸処理装置）１は、複数の糸巻取ユニット（糸処理ユニット）２と、複数のユニット制御装置３と、機台制御装置４と、監視部制御装置（糸欠陥表示装置）５と、を備えている。糸巻取機１は、例えば、自動ワインダ、空気紡績機、オープンエンド紡績機、リング紡績機等である。各糸巻取ユニット２は、糸を巻き取ってパッケージを形成する。各ユニット制御装置３は、複数の糸巻取ユニット２ごとに設けられており、管理下にある複数の糸巻取ユニット２の動作を制御する。機台制御装置４は、各ユニット制御装置３と通信し、糸巻取機１の動作を制御する。なお、各ユニット制御装置３は、１つの糸巻取ユニット２ごとに設けられていてもよい。監視部制御装置５は、後述する各糸監視部２２と通信し、糸監視部２２を制御する。
【００２４】
図２に示されるように、各糸巻取ユニット２は、給糸部２１と、糸監視部２２と、糸継部２３と、巻取部２４と、を備えている。糸巻取機１が自動ワインダである場合には、各糸巻取ユニット２に、糸にテンションを付与するテンション付与装置、糸のテンションを測定するテンションセンサ等が設けられていてもよい。糸巻取機１が空気紡績機である場合には、各糸巻取ユニット２に、糸のテンションを測定するテンションセンサ、糸を貯留する糸貯留装置、糸にワックスを付与するワキシング装置等が設けられていてもよい。
【００２５】
給糸部２１は、糸を供給する。糸巻取機１が自動ワインダである場合には、給糸部２１は、給糸ボビンを支持するボビン支持装置等によって構成されている。なお、給糸部２１は、給糸ボビンから糸を供給することに替えて給糸パッケージから糸を供給するように構成されていてもよい。糸巻取機１が空気紡績機である場合には、給糸部２１は、繊維束をドラフトするドラフト装置、及びドラフトされた繊維束に旋回空気流によって撚りを与えて糸を生成する空気紡績装置等によって構成されている。
【００２６】
糸監視部２２は、給糸部２１と巻取部２４との間において糸を監視し、糸欠陥を検出する。糸監視部２２は、検出装置２２ａ及び制御装置２２ｂによって構成されている。検出装置２２ａは、糸に光を照射して受光量の変化によって糸の太さの時間的な変化を検出する光学式センサ、又は電界中に糸を通過させて静電容量の変化によって糸の太さの時間的な変化を検出する静電容量式センサ等である。検出装置２２ａは、糸の太さの時間的な変化を示す波形データを制御装置２２ｂに出力する。制御装置２２ｂは、波形データに基づいて、糸に含まれる糸欠陥の長さ及び太さを示す糸欠陥データを算出し、当該糸欠陥データを監視部制御装置５に出力する。なお、糸監視部２２の制御装置２２ｂは、監視部制御装置５と直接データを送受信してもよいし、ユニット制御装置３を介して監視部制御装置５とデータを送受信してもよい。糸監視部２２の制御装置２２ｂが監視部制御装置５と直接データを送受信する場合、糸監視部２２の制御装置２２ｂは、その糸監視部２２が搭載される糸巻取ユニット２を管轄するユニット制御装置３とも直接データを送受信可能に構成されていることが好ましい。
【００２７】
監視部制御装置５が糸欠陥データに基づいて糸欠陥を除去すべきと判断した場合には、例えば糸巻取ユニット２に設けられたカッタ（好ましくは糸監視部２２に設けられたカッタ。但し、糸巻取ユニット２における糸監視部２２以外の場所に設けられたカッタでもよい。）によって糸が切断される。すなわち、糸欠陥には、除去対象となるレベルの糸欠陥（除去欠陥）と、除去までは不要なレベルの糸欠陥（パッケージＰとなった糸に残る糸欠陥：残存欠陥）とを含む。タッチパネル５１には、二次元フィールドＦ上に除去欠陥とともに残存欠陥を表示可能になっている。糸巻取機１が空気紡績機である場合には、空気紡績装置による糸の生成が中断されることで糸が切断されてもよい。なお、糸監視部２２は、糸に含まれる異物、糸切れ等を検出することもできる。
【００２８】
糸継部２３は、糸監視部２２によって検出された糸欠陥を除去するために糸が切断されたり、糸監視部２２によって糸切れが検出されたりした場合に、給糸部２１側の糸と巻取部２４側の糸とを継ぐ糸継動作を行う。糸継部２３は、第１糸捕捉案内装置、第２糸捕捉案内装置及び糸継装置等によって構成されている。第１糸捕捉案内装置は、吸引作用によって給糸部２１側の糸を捕捉して糸継装置に案内する。第２糸捕捉案内装置は、吸引作用によって巻取部２４側の糸を捕捉して糸継装置に案内する。糸継装置は、圧縮空気を用いるスプライサ、種糸を用いるピーサー、又は糸を機械的に継ぐノッター等であり、案内された糸同士を継ぐ。なお、糸巻取機１が例えば紡績機である場合には、糸継部２３は、複数の糸巻取ユニット２に対して走行可能な糸継台車として構成されていてもよい。
【００２９】
巻取部２４は、糸をボビンに巻き取ってパッケージを形成する。巻取部２４は、クレードルアーム、巻取ドラム及びトラバース装置等によって構成されている。クレードルアームは、パッケージを回転可能に支持する。巻取ドラムは、クレードルアームに支持されたパッケージの表面に接触してパッケージを回転させる。トラバース装置は、回転するパッケージに対して糸を所定幅でトラバースする。なお、モータがパッケージを直接的に回転駆動させる場合、巻取ドラムがトラバース溝を有する場合等がある。
【００３０】
図３に示されるように、監視部制御装置５は、タッチパネル（表示部）５１と、処理部５２と、記憶部５３と、を備えている。タッチパネル５１は、オペレータに各種情報を表示したり、オペレータによる各種情報の入力を受け付けたりする。処理部５２は、各糸巻取ユニット２の糸監視部２２から糸欠陥データを取得する。記憶部５３は、処理部５２で取得された糸欠陥データを、糸巻取ユニット２ごとに記憶する。なお、糸欠陥データは、監視部制御装置５の記憶部５３において記憶され、糸監視部２２においては記憶されない。処理部５２及び記憶部５３は、物理的には、ＣＰＵ（Central  Processing  Unit）、ＲＯＭ（Read  Only  Memory）及びＲＡＭ（Random  Access  Memory）等によって構成されている。
【００３１】
より詳細には、処理部５２は、二次元フィールドＦを生成し、糸欠陥を示す糸欠陥マークと共にタッチパネル５１に表示させる。図４は、タッチパネル５１の画面の一例を示す図である。図４に示されるように、二次元フィールドＦは、糸欠陥の長さ及び太さのそれぞれを座標軸とする座標系である。ここでは、糸欠陥の長さ［ｃｍ］が横軸とされ、糸欠陥の太さ（糸の基準太さに対する割合［％］）が縦軸とされている。
【００３２】
処理部５２は、取得した糸欠陥データに基づいて、二次元フィールドＦにおける糸欠陥を示す糸欠陥マークＫの位置（表示位置）を決定し、二次元フィールドＦと共にタッチパネル５１に糸欠陥マークＫを表示させる。本実施例において、処理部５２は、糸欠陥マークＫとして黒丸を二次元フィールドＦに表示させる。
【００３３】
また、処理部５２は、糸欠陥マークＫをタッチパネル５１に表示させる際に、取得した複数の糸欠陥データのうちの一部の糸欠陥データについての糸欠陥マークＫを表示させ、他の糸欠陥データについての糸欠陥マークＫを表示させない。具体的には、処理部５２は、糸欠陥が基準となる糸の太さ（基準太さ）よりも太い糸欠陥である場合、糸欠陥の長さごとに、糸欠陥の太さが最も太い糸欠陥データから順に数えて予め定められた表示数を超える数の糸欠陥データについての糸欠陥マークＫを表示させない。以下、この表示を、第１の優先表示とする。また、処理部５２は、糸欠陥が基準太さよりも細い糸欠陥である場合、糸欠陥の長さごとに、糸欠陥の太さが最も細い糸欠陥データから順に数えて予め定められた表示数を超える数の糸欠陥データについての糸欠陥マークＫを表示させない。以下、この表示を、第２の優先表示とする。
【００３４】
なお、図４は、処理部５２が第１の優先表示及び第２の優先表示の表示処理を行ったときのタッチパネル５１の画面の一例を示している。図４では、糸欠陥の太さが基準太さよりも太い糸欠陥マークＫ（ネップ・スラブＮＳ、及びロングＬの糸欠陥マークＫ）が、第１の優先表示の表示結果に対応している。また、図４では、糸欠陥の太さが基準太さよりも細い糸欠陥マークＫ（シン・ショートＴ１、シン・ロングＴ２の糸欠陥マークＫ）が、第２の優先表示の表示結果に対応している。
【００３５】
ここで、糸欠陥には、複数の種類がある。本実施形態において処理部５２は、ネップ・スラブＮＳ、ロングＬ、シン・ショートＴ１、シン・ロングＴ２の４種類の糸欠陥の糸欠陥マークＫをタッチパネル５１に表示させる。ネップ・スラブＮＳとは、糸欠陥の太さが基準太さよりも太く、且つ糸欠陥の長さが８．０ｃｍ以下の糸欠陥である。ロングＬとは、糸欠陥の太さが基準太さよりも太く、さらに糸欠陥の長さがネップ・スラブＮＳよりも長く且つ糸欠陥の長さが１２８ｃｍ以下の糸欠陥である。シン・ショートＴ１とは、糸欠陥の太さが基準太さよりも細く、且つ糸欠陥の長さが８．０ｃｍ以下の糸欠陥である。シン・ロングＴ２とは、糸欠陥の太さが基準太さよりも細く、さらに糸欠陥の長さがシン・ロングＴ２よりも長く且つ糸欠陥の長さが１２８ｃｍ以下の糸欠陥である。
【００３６】
また、糸欠陥マークＫを表示するときの糸欠陥の長さごととは、図５に示すように、本実施形態においては、ネップ・スラブＮＳ及びシン・ショートＴ１については０．１ｃｍごととし、ロングＬ及びシン・ロングＴ２については１ｃｍごととする。例えば、処理部５２は、糸欠陥の種類がネップ・スラブＮＳであり且つ糸欠陥の長さが１．１ｃｍの糸欠陥マークＫを表示する場合、糸欠陥の長さが１．１ｃｍの糸欠陥データのうち、糸欠陥の太さが最も太い糸欠陥データから順に数えて予め定められた表示数分の糸欠陥の糸欠陥マークＫをタッチパネル５１に表示させる。なお、糸欠陥データに含まれる長さの情報が、糸欠陥マークＫを表示するときの糸欠陥の長さの単位（上述した０．１ｃｍ、１ｃｍ）と異なる場合、処理部５２は、糸欠陥マークＫを表示するときの糸欠陥の長さの単位に合うように、糸欠陥データに含まれる長さに対して四捨五入などの演算処理を行ってもよい。
【００３７】
また、糸欠陥の長さごとに表示させる糸欠陥マークＫの表示数は、糸欠陥の種類ごとに予め定められている。処理部５２は、タッチパネル５１に糸欠陥マークＫを表示させる際に、予め定められた表示数分の糸欠陥マークＫを表示させる。また、糸欠陥の長さが短い場合の表示数は、糸欠陥の長さが長い場合の表示数に比べて値が大きい。すなわち、糸欠陥の長さが短い場合には、糸欠陥の長さが長い場合に比べてタッチパネル５１に表示される糸欠陥マークＫの数が多い。
【００３８】
例えば、図５に示すように、糸欠陥の種類がロングＬ及びシン・ロングＴ２の場合の表示数として、「３」が設定されている。すなわち、糸欠陥の種類がロングＬの場合、処理部５２は、糸欠陥マークＫを表示するときの糸欠陥の長さの単位（１ｃｍ）ごとに、糸欠陥の太さが最も太い糸欠陥データから順に数えて最大３点の糸欠陥マークＫをタッチパネル５１に表示させる。糸欠陥の種類がシン・ロングＴ２の場合、処理部５２は、糸欠陥マークＫを表示するときの糸欠陥の長さの単位（１ｃｍ）ごとに、糸欠陥の太さが最も細い糸欠陥から順に数えて最大３点の糸欠陥マークＫをタッチパネル５１に表示させる。糸欠陥の種類がシン・ショートＴ１の場合の表示数として、「５」が設定されている。すなわち、糸欠陥の種類がシン・ショートＴ１の場合、処理部５２は、糸欠陥マークＫを表示するときの糸欠陥の長さの単位（０．１ｃｍ）ごとに、糸欠陥の太さが細い糸欠陥データから順に数えて最大５点の糸欠陥マークＫをタッチパネル５１に表示させる。
【００３９】
また、糸欠陥の種類がネップ・スラブＮＳの場合の表示数は、糸欠陥の長さが短い場合の表示数が糸欠陥の長さが長い場合の表示数に比べて値が大きくなるように設定されている。具体的には、糸欠陥の種類がネップ・スラブＮＳの場合の表示数として、糸欠陥の長さが０．１ｃｍ以上１．０ｃｍ以下の場合には「２０」、糸欠陥の長さが１．１ｃｍ以上２．０ｃｍ以下の場合には「１０」、糸欠陥の長さが２．１ｃｍ以上４．０ｃｍ以下の場合には「５」、糸欠陥の長さが４．１ｃｍ以上８．０ｃｍ以下の場合には「３」がそれぞれ設定されている。
【００４０】
すなわち、糸欠陥の種類がネップ・スラブＮＳであり糸欠陥の長さが０．１ｃｍ以上１．０ｃｍ以下の場合、処理部５２は、糸欠陥マークＫを表示するときの糸欠陥の長さの単位（０．１ｃｍ）ごとに、糸欠陥の太さが最も太い糸欠陥データから順に数えて最大２０点の糸欠陥マークＫをタッチパネル５１に表示させる。糸欠陥の種類がネップ・スラブＮＳであり糸欠陥の長さが１．１ｃｍ以上２．０ｃｍ以下の場合、処理部５２は、糸欠陥マークＫを表示するときの糸欠陥の長さの単位（０．１ｃｍ）ごとに、糸欠陥の太さが最も太い糸欠陥データから順に数えて最大１０点の糸欠陥マークＫをタッチパネル５１に表示させる。糸欠陥の種類がネップ・スラブＮＳであり糸欠陥の長さが２．１ｃｍ以上４．０ｃｍ以下の場合、処理部５２は、糸欠陥マークＫを表示するときの糸欠陥の長さの単位（０．１ｃｍ）ごとに、糸欠陥の太さが最も太い糸欠陥データから順に数えて最大５点の糸欠陥マークＫをタッチパネル５１に表示させる。糸欠陥の種類がネップ・スラブＮＳであり糸欠陥の長さが４．１ｃｍ以上８．０ｃｍ以下の場合、処理部５２は、糸欠陥マークＫを表示するときの糸欠陥の長さの単位（０．１ｃｍ）ごとに、糸欠陥の太さが最も太い糸欠陥データから順に数えて最大３点の糸欠陥マークＫをタッチパネル５１に表示させる。
【００４１】
処理部５２は、取得した複数の糸欠陥データのうち、タッチパネル５１に糸欠陥マークＫを表示させる糸欠陥データを記憶部５３に記憶させる。処理部５２は、ユニット制御装置３から糸欠陥データを取得するごとに、上述したように糸欠陥マークＫを表示させる処理を行う。その際、処理部５２は、ユニット制御装置３から取得した糸欠陥データ及び記憶部５３に記憶された糸欠陥データに基づいて、取得した糸欠陥データにおける糸欠陥の太さが、最も太い又は細い糸欠陥データから順に数えて予め定められた表示数以内である場合には、取得した糸欠陥データについての糸欠陥マークＫをタッチパネル５１に表示させる。
【００４２】
処理部５２は、取得した糸欠陥データにおける糸欠陥の太さが、最も太い又は細い糸欠陥データから順に数えて予め定められた表示数以内でない場合、取得した糸欠陥データを記憶部５３に記憶させない。また、処理部５２は、記憶部５３に記憶された糸欠陥データのうち表示の対象外となった糸欠陥データについては、表示の対象外となった糸欠陥データについての糸欠陥マークＫをタッチパネル５１から削除する（表示を中止する）と共に、表示の対象外となった糸欠陥データを記憶部５３から削除する。すなわち、処理部５２は、タッチパネル５１に糸欠陥マークＫを表示させない糸欠陥データについては、記憶部５３に記憶させない。なお、表示の対象外となった糸欠陥データとは、新たに取得された糸欠陥データについての糸欠陥マークＫが表示の対象となったことにより、最も太い又は細い糸欠陥データから順に数えて予め定められた表示数以内とならなくなった糸欠陥データである。
【００４３】
なお、糸欠陥マークＫを表示するときの予め定められた表示数は、オペレータ等によって変更可能となっている。
【００４４】
また、処理部５２は、第１の優先表示及び第２の優先表示の表示処理以外にも、第１の全表示及び第２の全表示の表示処理を実行できる。処理部５２は、第１の全表示として、糸欠陥が基準太さよりも太い糸欠陥（ネップ・スラブＮＳ、ロングＬ）についての全ての糸欠陥データをタッチパネル５１に表示させる。なお、処理部５２は、第１の全表示の表示処理を行う際に、糸監視部２２において直近に取得された糸欠陥データから取得順に数えて予め定められた所定数以内の全ての糸欠陥データをタッチパネル５１に表示させる。
【００４５】
同様に、処理部５２は、第２の全表示として、糸欠陥が基準太さよりも細い糸欠陥（シン・ショートＴ１、シン・ロングＴ２）についての全ての糸欠陥データをタッチパネル５１に表示させる。なお、処理部５２は、第２の全表示の表示処理を行う際に、糸監視部２２において直近に取得された糸欠陥データから取得順に数えて予め定められた所定数以内の全ての糸欠陥データをタッチパネル５１に表示させる。
【００４６】
ここで、図６に、処理部５２が第１の全表示及び第２の全表示の表示処理を行ったときのタッチパネル５１の画面の一例を示す。なお、図６は、処理部５２が、直近の所定数の糸欠陥データのみを表示させた場合ではなく、取得された全ての糸欠陥データを表示させた場合を示している。図６では、糸欠陥の太さが基準太さよりも太い糸欠陥マークＫが第１の全表示の表示結果に対応し、糸欠陥の太さが基準太さよりも細い糸欠陥マークＫが第２の全表示の表示結果に対応している。図６に示される画面例は、図４に示される画面例に比べて、糸欠陥マークＫの表示数が多い。
【００４７】
また、図７に、処理部５２が第１の全表示及び第２の全表示の表示処理を行ったときのタッチパネル５１の画面の一例を示す。なお、図７は、処理部５２が、直近の所定数の糸欠陥データのみを表示させた場合を示している。図７では、糸欠陥の太さが基準太さよりも太い糸欠陥マークＫが第１の全表示の表示結果に対応し、糸欠陥の太さが基準太さよりも細い糸欠陥マークＫが第２の全表示の表示結果に対応している。直近の所定数の糸欠陥データのみを表示させた場合、糸欠陥の傾向が変化すると、糸欠陥マークＫの分布も変化する。
【００４８】
また、処理部５２は、優先表示と、全表示とを切り替えることができる。具体的には、処理部５２は、基準太さよりも太い糸欠陥の糸欠陥マークＫを表示する場合、第１の優先表示と第１の全表示とを切り替えることができる。処理部５２は、基準太さよりも細い糸欠陥の糸欠陥マークＫを表示する場合、第２の優先表示と第２の全表示とを切り替えることができる。
【００４９】
すなわち、処理部５２は、第１の表示パターンとして、第１の優先表示及び第２の優先表示の表示処理を実行する。この第１の表示パターンは、太い糸欠陥及び細い糸欠陥の両方が優先表示されるパターンである。処理部５２は、第２の表示パターンとして、第１の優先表示及び第２の全表示の表示処理を実行する。この第２の表示パターンは、太い糸欠陥が優先表示され、細い糸欠陥が全表示されるパターンである。
【００５０】
処理部５２は、第３の表示パターンとして、第１の全表示及び第２の優先表示の表示処理を実行する。この第３の表示パターンは、太い糸欠陥が全表示され、細い糸欠陥が優先表示されるパターンである。処理部５２は、第４の表示パターンとして、第１の全表示及び第２の全表示を実行する。この第４の表示パターンは、太い糸欠陥及び細い糸欠陥の両方が全表示されるパターンである。
【００５１】
処理部５２は、例えば、監視部制御装置５のオペレータ等からの指示に基づいて、又は、予め定められた条件に基づいて自動で全表示と優先表示とを切り替える。例えば、数が多いと予想される糸欠陥の糸欠陥マークＫが、優先表示で表示されてもよい。
【００５２】
なお、処理部５２は、例えば、ネップ・スラブＮＳとロングＬとを組として、優先表示と全表示との切り替えを行ったが、糸欠陥の種類の組合せはこれに限定されない。例えば、処理部５２は、例えば、ネップ・スラブＮＳ及びロングＬのうち、ネップ・スラブＮＳのみを優先表示とし、ロングＬを全表示としてもよい。
【００５３】
次に、糸欠陥データが取得された場合に処理部５２で行われる糸欠陥マークＫの表示処理の流れについてフローチャートを用いて説明する。ここでは、処理部５２は、糸欠陥マークＫの表示処理として、第１の優先表示及び第２の優先表示の表示処理を実行する。図８に示す糸欠陥マークＫの表示処理は、記憶部５３がユニット制御装置３から糸欠陥データを取得するごとに開始される。図８に示すように、処理部５２は、ユニット制御装置３から糸欠陥データを取得すると、取得した糸欠陥データに基づいて糸欠陥の種類及び長さを判定する（Ｓ１０１）。処理部５２は、判定した糸欠陥の種類及び糸欠陥の長さに対応する糸欠陥データを記憶部５３から取得する（Ｓ１０２）。
【００５４】
処理部５２は、ユニット制御装置３から取得された糸欠陥データ、及び記憶部５３から取得された糸欠陥データに基づいて、ユニット制御装置３から取得された糸欠陥データにおける糸欠陥の太さが、最も太い又は細い糸欠陥データから順に数えて予め定められた表示数以内であるか否かを判定する（Ｓ１０３）。なお、処理部５２は、Ｓ１０１で判定された糸欠陥の種類が基準太さよりも太い糸欠陥である場合には、最も太い糸欠陥データから順に数えて予め定められた表示数以内であるか否かを判定する。一方、処理部５２は、Ｓ１０１で判定された糸欠陥の種類が基準太さよりも細い糸欠陥である場合には、最も細い糸欠陥データから順に数えて予め定められた表示数以内であるか否かを判定する。ここでの表示数とは、図５を用いて説明した表示数である。
【００５５】
最も太い又は細い糸欠陥データから順に数えて予め定められた表示数以内である場合（Ｓ１０３：ＹＥＳ）、処理部５２は、ユニット制御装置３から取得された糸欠陥データについての糸欠陥マークＫをタッチパネル５１に表示させる（Ｓ１０５）。また、処理部５２は、ユニット制御装置３から取得された糸欠陥データを記憶部５３に記憶させる（Ｓ１０６）。
【００５６】
処理部５２は、表示の対象外となった糸欠陥データについての糸欠陥マークＫをタッチパネル５１から削除する（Ｓ１０６）。また、処理部５２は、表示の対象外となった糸欠陥データを記憶部５３から削除する（Ｓ１０７）。一方、Ｓ１０３の処理において、最も太い又は細い糸欠陥データから順に数えて予め定められた表示数以内でない場合（Ｓ１０３：ＮＯ）、処理部５２は、今回の処理を終了する。
【００５７】
以上のように監視部制御装置５は、二次元フィールドＦと共に糸欠陥マークＫをタッチパネル５１に表示させる。ここで、基準太さとは大きく異なる太さの糸欠陥は、例えば除去等の対象となる。このため、二次元フィールドＦを用いて糸欠陥マークＫの分布を表示する場合、基準太さに近い太さの糸欠陥よりも基準太さとは大きく異なる太さの糸欠陥の糸欠陥マークＫが確認できることが重要となる。
【００５８】
そこで、本実施形態の監視部制御装置５では、糸欠陥が基準太さよりも太い糸欠陥である場合には、糸欠陥の長さごとに、糸欠陥の太さが最も太い糸欠陥データから順に数えて予め定められた表示数を超える数の糸欠陥データをタッチパネル５１に表示させない。すなわち、監視部制御装置５は、糸欠陥の長さごとに、糸欠陥の太さが最も太い糸欠陥データから順に数えて予め定められた表示数分の糸欠陥マークをタッチパネル５１に表示させる。同様に、監視部制御装置５では、糸欠陥が基準太さよりも細い糸欠陥である場合には、糸欠陥の長さごとに、糸欠陥の太さが最も細い糸欠陥データから順に数えて予め定められた表示数を超える数の糸欠陥データをタッチパネル５１に表示させない。すなわち、監視部制御装置５は、糸欠陥の長さごとに、糸欠陥の太さが最も細い糸欠陥データから順に数えて予め定められた表示数分の糸欠陥マークＫをタッチパネル５１に表示させる。これにより、監視部制御装置５は、糸欠陥データのうちの一部の糸欠陥データについての糸欠陥マークＫを二次元フィールドＦと共に表示する場合に、表示数（表示量）を抑制しながらも糸欠陥マークＫの分布を適切に表示することができる。
【００５９】
例えば、図４に示されるように第１の優先表示及び第２の優先表示が行われている場合の糸欠陥マークＫの分布と、図６に示されるように第１の全表示及び第２の全表示が行われている場合の糸欠陥マークＫの分布とを比較する。この場合、図４の表示例では、図６の表示例に対して基準太さに近い太さの糸欠陥の糸欠陥マークＫの表示はされていないものの、基準太さとは大きく異なる太さの糸欠陥の糸欠陥マークＫが表示されている。これによりオペレータは、第１の優先表示及び第２の優先表示の表示処理を処理部５２に実行させることで、糸欠陥を確認する際に重要となる、基準太さとは大きく異なる太さの糸欠陥の糸欠陥マークＫを確認できる。
【００６０】
一方、直近の所定数の糸欠陥データを表示させる第１の全体表示及び第２の全体表示を行った場合（図７の表示例の場合）、糸欠陥の傾向が変化することによって糸欠陥マークＫの分布も変化することがある。このため、図７に示される表示例と、図６に示される表示例とを比較すると、基準太さとは大きく異なる太さの糸欠陥の糸欠陥マークＫの分布も異なっている。このため、直近の所定数の糸欠陥データを表示させる第１の全体表示及び第２の全体表示を行った場合、オペレータは、糸欠陥を確認する際に重要となる部分の糸欠陥マークＫの分布を正しく確認できない。このように、監視部制御装置５は、図４に示されるように第１の優先表示及び第２の優先表示の表示処理を実行することで、表示数（表示量）を抑制しながらも糸欠陥マークＫの分布を適切に表示できる。
【００６１】
監視部制御装置５は、基準太さよりも太い糸欠陥の糸欠陥マークＫを表示する場合、第１の優先表示と第１の全表示とを切り替えることができる。同様に、監視部制御装置５は、基準太さよりも細い糸欠陥の糸欠陥マークＫを表示する場合、第２の優先表示と第２の全表示とを切り替えることができる。これにより、監視部制御装置５は、糸欠陥の数の多少等に応じて、糸欠陥マークＫを適切に表示できる。例えば、数が多いと予想される糸欠陥の糸欠陥マークＫが、優先表示で表示されてもよい。
【００６２】
また、監視部制御装置５は、第１の全表示として、直近の所定数の糸欠陥データをタッチパネル５１に表示させる。同様に、監視部制御装置５は、第２の全表示として、直近の所定数の糸欠陥データをタッチパネル５１に表示させる。この場合、監視部制御装置５は、糸欠陥マークＫの表示処理の負荷を抑制できる。
【００６３】
タッチパネル５１に表示される糸欠陥マークＫの表示数は、糸欠陥の長さ及び太さに基づく糸欠陥の種類ごとに予め定められている。この場合、監視部制御装置５は、確認すべき糸欠陥マークＫの分布が糸欠陥の種類ごとに異なる場合であっても、糸欠陥の種類に応じた数の糸欠陥マークＫを表示することができる。
【００６４】
糸欠陥の長さが短い場合の表示数は、糸欠陥の長さが長い場合の表示数に比べて値が大きい。ここで、糸欠陥の長さが短い方が糸欠陥の長さが長い場合に比べて、糸欠陥の数が多い傾向がある。このため、監視部制御装置５は、数が多い糸欠陥（長さが短い糸欠陥）を示す糸欠陥マークＫを多く表示することで、糸欠陥の数の傾向に応じて糸欠陥マークＫの分布を適切に表示することができる。
【００６５】
処理部５２は、複数の糸欠陥データのうちタッチパネル５１に表示させる糸欠陥データのみを記憶部５３に記憶させる。この場合、監視部制御装置５は、タッチパネル５１に糸欠陥マークＫが表示されない糸欠陥データを記憶部５３に記憶させないため、記憶部５３が記憶する糸欠陥データの数の増加を適切に抑制できる。
【００６６】
糸巻取機１は、上述した監視部制御装置５を備えているので、糸欠陥データのうちの一部の糸欠陥データについての糸欠陥マークＫを二次元フィールドＦと共に表示する場合に、糸欠陥マークＫの分布を適切に表示することができる。
【００６７】
以上、本発明の実施形態について説明したが、本発明は、上記実施形態に限定されない。上記実施形態では、糸巻取機１の監視部制御装置５が糸欠陥表示装置として機能したが、例えば、糸巻取機１から離れた管理装置等が糸欠陥表示装置として機能してもよい。また、例えば、機台制御装置４が糸欠陥表示装置として機能してもよい。糸欠陥表示装置は、糸巻取機１等において糸欠陥データが取得されるごとに糸欠陥マークＫの表示処理を行うことに限定されず、サンプリングされた糸欠陥データに基づいて、タッチパネル５１に表示させる糸欠陥マークＫを決定して糸欠陥マークＫを表示してもよい。
【００６８】
また、処理部５２は、糸監視部２２の制御装置２２ｂから糸欠陥データを取得することに加えて、糸監視部２２の検出装置２２ａから出力された波形データも取得してもよい。或いは、処理部５２は、糸監視部２２の制御装置２２ｂから糸欠陥データを取得せずに、糸監視部２２の検出装置２２ａから出力された波形データのみを取得してもよい。この場合、処理部５２は、取得した波形データから糸欠陥データを算出することができる。
【００６９】
糸巻取ユニット２は、糸を供給する給糸部２１と、糸を巻き取ってパッケージを形成する巻取部２４とを備える自動ワインダであってもよい。この場合、監視部制御装置５は、給糸部２１から供給された糸の糸欠陥についての糸欠陥マークＫの分布を適切に表示することができる。
【００７０】
糸巻取ユニット２は、繊維束をドラフトするドラフト装置と、ドラフト装置でドラフトされた繊維束に撚りを与えて糸を生成する空気紡績装置等とを備える空気紡績装置であってもよい。この場合、監視部制御装置５は、空気紡績装置で生成された糸の糸欠陥についての糸欠陥マークＫの分布を適切に表示することができる。
【００７１】
上記実施形態において、糸欠陥マークＫを表示するときの予め定められた表示数として、糸欠陥の種類ごとに予め定められていることは必須では無い。例えば、糸欠陥の種類以外の単位ごとに予め表示数が定められていてもよい。糸欠陥の長さが短い場合の表示数は、糸欠陥の長さが長い場合の表示数に比べて値が大きくなくてもよい。表示数は、糸欠陥の種類及び糸欠陥の長さなどに関わらず一定であってもよい。
【００７２】
上記実施形態では、二次元フィールドＦと共に表示する糸欠陥マークＫを図４等において黒丸で示したが、処理部５２は、ドット表示など、黒丸以外の態様で糸欠陥マークを表示してもよい。また、図４に示される二次元フィールドＦの横軸の表示単位は、センチメートルに限らず、例えば、ミリメートルであってもよい。
【００７３】
また、監視部制御装置５は、ネップ・スラブＮＳ、ロングＬ、シン・ショートＴ１、及びシン・ロングＴ２の分布だけでなく、これら以外の糸欠陥（例えば、異物、色糸、ポリプロピレンの混入、番手違い、スプライス不良等）の分布にも適用できる。
【００７４】
糸監視部２２から取得された糸欠陥データのうち糸欠陥マークＫがタッチパネル５１に表示される糸欠陥データのみを記憶部５３に記憶させることは必須では無い。処理部５２は、取得された糸欠陥データの全てを記憶部５３に記憶させてもよい。この場合であっても、処理部５２は、取得された糸欠陥データのうちの一部の糸欠陥データについての糸欠陥マークＫのみを表示するため、糸欠陥マークＫの表示処理の負荷を抑制できる。
【００７５】
監視部制御装置５のタッチパネル５１は、機台制御装置４と共有されてもよい。すなわち、タッチパネル５１を用いて、機台制御装置４への入出力、及び監視部制御装置５の処理部５２等への入出力が行われてもよい。また、監視部制御装置５は、機台制御装置４と一体的に設けられていてもよい。すなわち、上述した監視部制御装置５の各機能は、機台制御装置４において実行されてもよい。この場合、機台制御装置４は、糸監視部２２から糸欠陥データを直接受信してもよいし、ユニット制御装置３を介して受信してもよい。あるいは、監視部制御装置５は、ユニット制御装置３と一体的に設けられていてもよい。また、監視部制御装置５は、複数のユニット制御装置３に対してそれぞれ一体的に設けられていてもよい。すなわち、上述した監視部制御装置５の各機能は、ユニット制御装置３において実行されてもよい。この場合、ユニット制御装置３は、糸監視部２２から糸欠陥データを直接受信する。
【符号の説明】
【００７６】
１…糸巻取機（糸処理装置）、２…糸巻取ユニット（糸処理ユニット）、５…監視部制御装置（糸欠陥表示装置）、２２…糸監視部、５１…タッチパネル（表示部）、５２…処理部、５３…記憶部、Ｆ…二次元フィールド、Ｋ…糸欠陥マーク。
【図１】
2018178282.tif 000003
【図２】
2018178282.tif 000004
【図３】
2018178282.tif 000005
【図４】
2018178282.tif 000006
【図５】
2018178282.tif 000007
【図６】
2018178282.tif 000008
【図７】
2018178282.tif 000009
【図８】
2018178282.tif 000010